(57)【要約】【課題】  電子内視鏡用の光源装置に接続する電子内視鏡を変更した場合においても、自動的にＴＶモニタに映し出される映像の明るさを一定にする。【解決手段】  電子内視鏡用の光源装置は、複数の電子内視鏡に接続可能であって、その複数の電子内視鏡のうちの１つと接続する。各電子内視鏡は、ＣＣＤ２０、映像信号処理ＩＣ２２、ＣＰＵ２３、ＥＥＰＲＯＭ２４等を有する。ＣＣＤ２０は、被写体像を捉え、その被写体像を画像信号に変換し、その画像信号を映像信号処理ＩＣ２２を介してＴＶモニタに出力する。ＥＥＰＲＯＭ２４は、各電子内視鏡に応じた輝度係数を有する。ＣＰＵ２３は、画像信号の輝度値に、輝度係数を乗じ、補正輝度値を求める。ＣＰＵ２３は、その補正輝度値に基づいて、画像信号の輝度値を調整し、モニタに出力される画像の明るさを調整する。【選択図】        図２
2005312713.tif 000002
【特許請求の範囲】
【請求項１】
それぞれが固体撮像素子を有し、この固体撮像素子で捉えられた被写体像から画像信号を生成する複数の電子内視鏡と、
前記複数の電子内視鏡に接続可能であって、その複数の電子内視鏡に含まれる１つの電子内視鏡が接続される電子内視鏡用の光源装置と、
前記接続された電子内視鏡で生成された前記画像信号をモニタに出力する出力手段とを備え、
前記各電子内視鏡は、固有の補正値を有し、前記画像信号の輝度値に、前記補正値を、加減乗除の演算により作用させて補正輝度値を求め、この補正輝度値に基づいて、前記モニタに出力される画像信号の輝度値を調整することを特徴とする電子内視鏡システム。
【請求項２】
前記出力手段は、前記被写体像が時系列的に変換された少なくとも第１および第２の画像信号を順次前記モニタに出力し、
前記接続される各電子内視鏡は、前記第１の画像信号の輝度値に、前記補正値を、加減乗除の少なくともいずれか１つの演算により作用させ、補正輝度値を求め、この補正輝度値に基づいて、前記第２の画像信号の輝度値を調整することを特徴とする請求項１に記載の電子内視鏡システム。
【請求項３】
前記電子内視鏡の固体撮像素子は電子シャッタ機能を備え、前記各電子内視鏡は、前記固体撮像素子のシャッタースピードを調整することにより、前記第２の画像信号の輝度値を調整することを特徴とする請求項２に記載の電子内視鏡システム。
【請求項４】
前記各電子内視鏡は、前記補正輝度値が所定の基準値に一致するように前記輝度値を調整することを特徴とする請求項１に記載の電子内視鏡システム。
【請求項５】
前記固有の補正値は、前記各電子内視鏡に備えられたメモリに記憶されることを特徴とする請求項１に記載の電子内視鏡システム。
【請求項６】
前記固有の補正値は、前記各電子内視鏡が有する所定値に所定の定数が除せられて算出されることを特徴とする請求項１に記載の電子内視鏡システム。
【請求項７】
前記所定値は、前記電子内視鏡に備えられたメモリに記憶されることを特徴とする請求項６に記載の電子内視鏡システム。
【請求項８】
前記固有の補正値は、各電子内視鏡毎に異なることを特徴とする請求項１に記載の電子内視鏡システム。
【請求項９】
前記各電子内視鏡は、それぞれ複数の光源装置に接続可能であり、前記各電子内視鏡は、前記固有の補正値を複数有し、前記輝度値に作用される前記固有の補正値は、前記各電子内視鏡に接続される光源装置に応じて変更されることを特徴とする請求項１に記載の電子内視鏡システム。
【請求項１０】
前記画像信号の輝度値は、少なくとも２以上の異なる方法から選択された１つの方法によって、前記固体撮像素子の各画素の輝度値から求められた輝度値であって、前記補正値は前記選択された方法に応じて異なることを特徴とする請求項１に記載の電子内視鏡システム。
【請求項１１】
前記画像信号の輝度値は、前記固体撮像素子の各画素の輝度値の平均値、前記固体撮像素子の中央付近の画素の輝度値の平均値、および前記固体撮像素子の各画素の輝度値のうち最も高い輝度値のうちから選択されたいずれかであって、前記補正値は前記選択された輝度値に応じて異なることを特徴とする請求項１に記載の電子内視鏡システム。
【請求項１２】
それぞれが固体撮像素子を有し、この固体撮像素子で捉えられた被写体像から画像信号を生成する複数の電子内視鏡と、
前記複数の電子内視鏡に接続可能であって、その複数の電子内視鏡に含まれる１つの電子内視鏡が接続される電子内視鏡用の光源装置と、
前記接続された電子内視鏡で生成された前記画像信号をモニタに出力する出力手段とを備え、
前記各電子内視鏡は、固有の補正値を有し、所定の基準値に、前記固有の補正値を、加減乗除の演算により作用させて補正基準値を求め、前記画像信号の輝度値が、前記補正基準値に一致するように、前記モニタに出力される画像信号の輝度値を調整することを特徴とする電子内視鏡システム。
【請求項１３】
固体撮像素子を有し、この固体撮像素子で捉えられた被写体像から画像信号を生成すると共に、少なくとも１つの電子内視鏡用の光源装置に接続可能な電子内視鏡であって、
固有の補正値を有し、前記画像信号の輝度値に、前記補正値を、加減乗除の演算により作用させて補正輝度値を求め、この補正輝度値に基づいて、前記光源装置に出力される前記画像信号の輝度値を調整することを特徴とする電子内視鏡。
【請求項１４】
固体撮像素子を有し、この固体撮像素子で捉えられた被写体像から画像信号を生成すると共に、少なくとも１つの電子内視鏡用の光源装置に接続可能な電子内視鏡であって、
固有の補正値を有し、所定の基準値に、前記固有の補正値を、加減乗除の演算により作用させて補正基準値を求め、前記画像信号の輝度値が、前記補正基準値に一致するように、前記光源装置に出力される画像信号の輝度値を調整することを特徴とする電子内視鏡。
【発明の詳細な説明】
【技術分野】
【０００１】
本発明は、複数の電子内視鏡と、その複数の電子内視鏡に接続可能な光源装置とを有する電子内視鏡システムに関する。
【背景技術】
【０００２】
電子内視鏡（電子スコープ）は、その先端部に固体撮像素子を有し、固体撮像素子で捉えられた被写体像は、画像信号に変換され、この画像信号は、電子内視鏡内で所定の信号処理が施された後、プロセッサに入力される。プロセッサで、画像信号はさらに所定の画像処理等が施され、ＴＶモニタに送られて映像として映し出される。
【０００３】
従来、ＴＶモニタに映し出される映像の明るさを一定にするために、例えば特許文献１に記載されるように、電子シャッタ機能を備えた固体撮像素子における電子シャッタースピード調整または光源装置の絞り調整により照明光量を調整し、画像信号の出力値（輝度値）を基準値（一定値）にすることが知られている。
【特許文献１】特開平７−３９５１４号公報
【発明の開示】
【発明が解決しようとする課題】
【０００４】
ところで、電子内視鏡は、その種類が多岐に亘り、例えば気管支用、下部消化管用、十二指腸用、上部消化管用等種々用いられ、プロセッサは、このような複数の種類の電子内視鏡に接続可能である。
【０００５】
しかし、電子内視鏡は、その種類の違いにより、レンズ、色フィルタ、視野角、観察深度等が異なり、ＴＶモニタに映し出される映像の見え方は、光源装置に接続される電子内視鏡によって異なる場合がある。すなわち、ＴＶモニタに出力される画像信号の出力値（輝度値）を基準値（一定値）にしたところで、必ずしも映像の見かけ上の明るさが同一になるとは限らない。
【０００６】
また、電子内視鏡の種類が同一（すなわち、電子内視鏡が有するレンズ等が同一）であって、画像信号の出力値（輝度値）を基準値（一定値）に設定した場合においても、明るさの感じ方は人それぞれであるため、使用者（医師）によっては見かけ上の明るさが異なると感じる場合もある。
【０００７】
したがってプロセッサに複数の電子内視鏡を接続するとき、このような見かけ上の明るさを同一にするためには、プロセッサにおいて手動により輝度値の基準値を変更する必要がある。しかし、プロセッサに接続される電子内視鏡の種類を変更する毎に、輝度値の基準値を手動により変更することは煩雑である。
【０００８】
そこで、本発明は、このような問題点に鑑みて成されたものであり、接続される電子内視鏡が変更されても、基準値を手動により変更する必要がない電子内視鏡および電子内視鏡システムを提供することを目的とする。
【課題を解決するための手段】
【０００９】
本発明に係る電子内視鏡システムは、それぞれが固体撮像素子を有し、この固体撮像素子で捉えられた被写体像から画像信号を生成する複数の電子内視鏡と、複数の電子内視鏡に接続可能であって、その複数の電子内視鏡に含まれる電子内視鏡が接続される電子内視鏡用の光源装置と、接続された電子内視鏡で生成された画像信号をモニタに出力する出力手段とを備え、各電子内視鏡は、固有の補正値を有し、画像信号の輝度値に、補正値を、加減乗除の演算により作用させて補正輝度値を求め、この補正輝度値に基づいて、モニタに出力される画像信号の輝度値を調整することを特徴とする。
【００１０】
出力手段は、被写体像が時系列的に変換された少なくとも第１および第２の画像信号を順次モニタに出力する場合、各電子内視鏡は、第１の画像信号の輝度値に、補正値を、加減乗除の少なくともいずれか１つの演算により作用させ、補正輝度値を求め、この補正輝度値に基づいて、第２の画像信号の輝度値を調整する。好ましくは、電子内視鏡の固体撮像素子は電子シャッタ機能を備え、各電子内視鏡は、固体撮像素子のシャッタースピードを調整することにより、第２の画像信号の輝度値を調整する。
【００１１】
各電子内視鏡は、補正輝度値が所定の基準値に一致するように輝度値を調整することが好ましい。固有の補正値は、各電子内視鏡に備えられたメモリに記憶されることが好ましい。
【００１２】
固有の補正値は、各電子内視鏡が有する所定値に所定の定数が除せられて算出されることが好ましく、さらにその所定値は、電子内視鏡に備えられたメモリに記憶されることが好ましい。また、固有の補正値は、各電子内視鏡毎に異なることが好ましい。
【００１３】
各電子内視鏡は、それぞれ複数の光源装置に接続可能であり、各電子内視鏡は、固有の補正値を複数有し、輝度値に作用される固有の補正値は、各電子内視鏡に接続される光源装置に応じて変更されることが好ましい。
【００１４】
画像信号の輝度値は、少なくとも２以上の異なる方法から選択された１つの方法によって、固体撮像素子の各画素の輝度値から求められた輝度値である場合、補正値は選択された方法に応じて異なることが好ましい。
【００１５】
画像信号の輝度値は、固体撮像素子の各画素の輝度値の平均値、固体撮像素子の中央付近の画素の輝度値の平均値、および固体撮像素子の各画素の輝度値のうち最も高い輝度値のうちから選択されたいずれかである場合、補正値は選択された輝度値に応じて異なることが好ましい。
【００１６】
本発明に係る第２の電子内視鏡システムは、それぞれが固体撮像素子を有し、この固体撮像素子で捉えられた被写体像から画像信号を生成する複数の電子内視鏡と、複数の電子内視鏡に接続可能であって、その複数の電子内視鏡に含まれる１つの電子内視鏡が接続される電子内視鏡用の光源装置と、接続された電子内視鏡で生成された画像信号をモニタに出力する出力手段とを備え、各電子内視鏡は、固有の補正値を有し、所定の基準値に、固有の補正値を、加減乗除の演算により作用させて補正基準値を求め、画像信号の輝度値が、補正基準値に一致するように、モニタに出力される画像信号の輝度値を調整することを特徴とする。
【００１７】
本発明に係る電子内視鏡は、固体撮像素子を有し、この固体撮像素子で捉えられた被写体像から画像信号を生成すると共に、少なくとも１つの電子内視鏡用の光源装置に接続可能な電子内視鏡であって、固有の補正値を有し、画像信号の輝度値に、補正値を、加減乗除の演算により作用させて補正輝度値を求め、この補正輝度値に基づいて、光源装置に出力される画像信号の輝度値を調整することを特徴とする。
【００１８】
本発明に係る第２の電子内視鏡は、固体撮像素子を有し、この固体撮像素子で捉えられた被写体像から画像信号を生成すると共に、少なくとも１つの電子内視鏡用の光源装置に接続可能な電子内視鏡であって、固有の補正値を有し、所定の基準値に、固有の補正値を、加減乗除の演算により作用させて補正基準値を求め、画像信号の輝度値が、補正基準値に一致するように、光源装置に出力される画像信号の輝度値を調整することを特徴とする。
【発明の効果】
【００１９】
以上のように、本発明によれば、光源装置に接続される電子内視鏡が変更されても、モニタに出力される画像の見かけ上の明るさを一定にすることができる。
【発明を実施するための最良の形態】
【００２０】
以下本発明に係る実施形態を図１〜図１０を用いて詳細に説明する。
【００２１】
図１は、本発明の一実施形態を適用した電子内視鏡システムの模式図を示す。電子内視鏡システムは２以上の電子内視鏡（本実施形態においては模式的に第１および第２の電子内視鏡１０、９０を示す。）とプロセッサ（電子内視鏡用の光源装置）１４とＴＶモニタ１５を備える。第１の電子内視鏡１０は、体腔内に挿入するための挿入部１１と、使用者が握り第１の電子内視鏡１０を操作するための操作部１２を有する。操作部１２には連絡管１７が接続され、連絡管１７の先端部には接続部１３が設けられる。第１の電子内視鏡１０は、接続部１３を介して、プロセッサ１４に接続される。なお、第２の電子内視鏡９０も第１の電子内視鏡１０と同様の構成を有するので、その説明を省略する。
【００２２】
複数の電子内視鏡のうち、選択された１つの電子内視鏡（例えば図１においては第１の電子内視鏡１０）がプロセッサ１４に接続される。プロセッサ１４は、第１の電子内視鏡１０から送られてきた画像信号を処理した後、その画像信号をＴＶモニタ１５に出力するビデオプロセッサの役割を果たすとともに、光源（図示せず）を有し光源装置としての役割も果たす。プロセッサ１４には、さらにキーボード１６、パネルスイッチ１８が接続される。パネルスイッチ１８には、例えば明るさ設定スイッチが設けられる。明るさ設定スイッチが操作されると、後述する基準輝度値（ａｅｒ）が変更させられるので、ＴＶモニタ１５に映し出される映像の明るさは変更させられる。
【００２３】
なお、本実施形態においては第１および第２の電子内視鏡１０、９０も、接続部１３を介して、複数の種類のプロセッサ、すなわち光源装置に接続可能である（図示せず）。電子内視鏡１０に接続されるプロセッサは多岐に亘り、プロセッサに備えられる光源は、例えばキセノンランプ、ハロゲンランプ等である。
【００２４】
図２は、本実施形態における第１の電子内視鏡１０の電気的構成を示す。なお、第２の電子内視鏡９０の電気的構成は第１の電子内視鏡１０の構成と同一であるので説明は省略するとともに、以下同一の部材については同一の符号を付して説明する。挿入部１１（図１参照）の先端部に設けられた固体撮像素子（ＣＣＤ）２０は、光源から挿入部１１の先端部に送られた光を利用し被写体像を捉える。捉えられた被写体像は、１フィールド毎（例えば１／６０秒毎）に順次第１、第２、第３、・・・、第ｎ、・・・の画像信号に変換される。なお、固体撮像素子２０は電子シャッタ機能を備えている。
【００２５】
固体撮像素子２０で変換された画像信号は、ＡＧＣ(Auto Gain Controller)２１を介して、映像信号処理ＩＣ２２に入力される。映像信号処理ＩＣ２２では、画像信号に各種信号処理が施される。信号処理が施された画像信号は、プロセッサ１４を介してＴＶモニタ１５（図１参照）に順次出力され、ＴＶモニタ１５に映像として映し出される。
【００２６】
映像信号処理ＩＣ２２は、ＣＰＵ２３とシリアル通信により、データの送受信を行うとともに、ＣＰＵ２３によって制御される。ＣＰＵ２３は、いわゆるワンチップマイクロコンピュータであり、ＲＯＭ、ＲＡＭ、ＳＣＩ（Serial Communication Interface）、Ｉ／Ｏポート、タイマー等を有する。ＣＰＵ２３は、シリアル通信によりプロセッサ１４ともデータの送受信を行う。ＣＰＵ２３には、各種設定値を記憶しておくためのＥＥＰＲＯＭ（不揮発性メモリ）２４が接続される。
【００２７】
固体撮像素子２０の電気的駆動例えば、電子シャッタの駆動は、ＣＣＤ駆動回路２５により制御される。固体撮像素子２０の制御に関するタイミングチャートを図３に示す。ＣＣＤ駆動回路２５には１／６０秒毎に垂直同期信号ＶＤが映像信号処理ＩＣ２２から入力されるとともに、パルスＡも入力される。パルスＡは、１フィールドにおいて、映像信号処理ＩＣ２２で算出された電荷蓄積時間（シャッタースピード）に対応する間、ＯＦＦからＯＮに反転している信号であって、１フィールドの終了とともにＯＦＦに反転する信号である。
【００２８】
ＣＣＤ駆動回路２５においては、パルスＰ１およびパルスＰ２を有するパルスＢが生成される。パルスＰ１は、垂直同期信号ＶＤに同期して生成され、パルスＰ２はパルスＡがＯＦＦからＯＮに反転するときに生成される。固体撮像素子２０では、被写体像に応じた電荷が蓄積され、パルスＰ１からＰ２の間に蓄積された電荷は不要電荷として排出されるとともに、パルスＰ２からＰ１の間に蓄積された電荷は画像信号として出力させられる。以上により、シャッタースピード（ｓ1、ｓ2、・・・、ｓn、・・・）に基づいて、１フィールド毎に順次蓄積された第１、第２、・・・、第ｎ、・・・の蓄積電荷は、順次第１、第２、・・・、第ｎ、・・・の画像信号となる。
【００２９】
シャッタースピード（電荷蓄積時間）の決定方法を第（ｎ＋１）の画像信号を例に説明する。第ｎの蓄積電荷は上述したように第ｎの画像信号となり、映像信号処理ＩＣ２２に入力される。映像信号処理ＩＣ２２では、入力された第ｎの画像信号の輝度値（ａｅｙn）が算出される。輝度値（ａｅｙn）は、輝度係数Ｐ（固有の補正値）が乗ぜられ補正輝度値（ｐａｅｙn）に変換される。補正輝度値（ｐａｅｙn）は、基準輝度値（ａｅｒ）と比較され、第（ｎ＋１）の画像信号を生成するときのシャッタースピードｓn+1は式（１）により決定される。なお、輝度値（ａｅｙn）は、第ｎの画像信号における固定撮像素子２０の各画素の輝度値の平均値（以下、平均輝度値という）、固体撮像素子２０の中央付近の画素の輝度値の平均値（以下、中央重点輝度値という）、または固体撮像素子２０の各画素の輝度値のうち最も高い輝度値（以下、ピーク輝度値という）のうちのいずれかである。いずれの輝度値が選択されるかは、使用者によって、上述したパネルスイッチ１８において選択される。
【００３０】
ｓn+1＝ｓn×（ａｅｒ／ｐａｅｙn）・・・・（１）
ただし、ｐａｅｙn＝Ｐ×ａｅｙn
なお、ｐａｅｙn＝第ｎの画像信号における補正輝度値
ｓn＝第ｎの画像信号を生成したときのシャッタースピード
【００３１】
輝度値は８ビット（０〜２５５）の数値で設定される。一方、基準輝度値は、補正輝度値が一致させられるべき値であって、例えば８ビットの数値の中心値である１２８に設定される。ここで、補正輝度値が基準輝度値と同一であるならば、式（１）に示すようにシャッタースピードは特に調整される必要はないので、シャッタースピードｓn+1は、第ｎの画像信号を生成するときのシャッタースピードｓnと同一のままである。しかし、例えば補正輝度値が基準輝度値（１２８）より小さくなると、式（１）においてａｅｒ／ｐａｅｙnは１より大きくなり、シャッタースピードは長くなる。一方、補正輝度値が基準輝度値より大きくなると、シャッタースピードは短くなる。すなわち、それぞれの画像信号の出力値は、その補正輝度値が基準輝度値に一致するように調整される。
【００３２】
固体撮像素子２０で出力値が調整された第１、第２、・・・、第ｎ、・・・の画像信号は、順次モニタに出力される。ここで、それぞれの画像信号は、例えば固体撮像素子２０で捉えられた画像信号の輝度値（ａｅｙn）が、基準輝度値（ａｅｒ）に一致するように調整されれば、本来、ＴＶモニタに出力される映像の見かけ上の輝度（明るさ）は適正になるはずである。すなわち、シャッタースピードは式（１’）により調整されれば良いはずである。
ｓn+1＝ｓn×（ａｅｒ／ａｅｙn）・・・・・（１’）
【００３３】
しかし、プロセッサ１４には、複数の電子内視鏡が接続され、この複数の電子内視鏡は、その種類が異なれば、その種類に応じて例えば用いられるレンズ、色フィルタ等が異なる。したがって、プロセッサ１４に接続される電子内視鏡が変更されると、その変更される毎にＴＶモニタ１５に表示される映像の見かけ上の明るさも変動し、輝度値を基準輝度値に一致させたとしても、ＴＶモニタに表示される映像は、明るく感じたり、暗く感じたりする。さらに、第１の電子内視鏡１０には、同様に複数の種類の光源装置（プロセッサ）が接続される。そして、光源装置から発する光は、その種類に応じて例えば色温度が大きく異なる。したがって、電子内視鏡に接続される光源装置が変更されると、ＴＶモニタに表示される映像の見かけ上の明るさは変動し、ＴＶモニタに表示される映像は、必ずしも同じ明るさに見えるとは限らない。
【００３４】
すなわち、電子内視鏡と光源装置（プロセッサ）の接続される組み合わせが替わる毎に、ＴＶモニタに表示される映像は、明るく感じられたり、暗く感じられたりする。また、使用者である各医師の明るさに対する感じ方も様々であり、組み合わせが同じであっても、医師によってその見かけ上の明るさが同一でないと判断する場合もある。
【００３５】
そこで、本実施形態においては、各電子内視鏡１０、９０は、固有の輝度係数Ｐ（補正値）を有し、その輝度係数Ｐが各輝度値（ａｅｙn）に乗ぜられ補正輝度値（ｐａｅｙn）が求められる。そして、その補正輝度値と基準輝度値が一致するように、シャッタースピードが調整される。
【００３６】
ここで、輝度係数Ｐは見かけ上の明るさに応じて決定させられる。特定のプロセッサと特定の電子内視鏡の組み合わせにおいて、例えば画像信号の出力値が基準輝度値と同じであるにも拘わらず、ＴＶモニタに映る見かけ上の明るさが明るい場合は、画像信号の出力値が抑制されるために、その輝度係数Ｐは１以上に設定される。一方、見かけ上の明るさが暗い場合は、画像信号の出力値を増大させるために、その輝度係数Ｐは１以下に設定される。これにより、本実施形態においては、電子内視鏡とプロセッサ（光源装置）の接続される組み合わせの違いに起因する見かけ上の明るさを適正に保つことができ、使用者はパネルスイッチ１８の明るさ設定スイッチを自ら操作することなく、適正な明るさの映像を観察することができる。
【００３７】
図４、図５を用いて、輝度係数Ｐの設定方法を詳述する。図４は第１の電子内視鏡１０内のＥＥＰＲＯＭ２４に記憶されたテーブルを示す図である。図５は第２の電子内視鏡９０内のＥＥＰＲＯＭ２４に記憶されたテーブルを示す図である。
【００３８】
第１または第２の電子内視鏡１０、９０がプロセッサ１４に接続されると、プロセッサ１４からはそのプロセッサを判別する情報、すなわちシリアルナンバーがＣＰＵ２３に送られる。一方、図４、５に示すようにＥＥＰＲＯＭ２４には、プロセッサのシリアルナンバーとともに、そのシリアルナンバーそれぞれに対応した輝度変数（ａｅｃ）に設定する値が記憶されている。なお、本実施形態においては、図４、５に示すように輝度値が平均輝度値、ピーク輝度値または中央重点輝度値のいずれかが選択されたかによって輝度変数（ａｅｃ）用の値は異なる。
【００３９】
プロセッサ１４から送られてきたシリアルナンバーは、ＥＥＰＲＯＭ２４に記憶されたシリアルナンバーと比較され、第１および第２の電子内視鏡１０、９０に接続されたプロセッサ１４が判別されるとともに、その判別されたプロセッサに対応する輝度変数がＥＥＰＲＯＭ２４から読み出される。すなわち、同一の電子内視鏡に異なるプロセッサが接続されると、その接続されたプロセッサに応じて輝度変数（ａｅｃ）の値が設定される。
【００４０】
さらに、本実施形態においては、第２の電子内視鏡９０に記憶される輝度変数（ａｅｃ）の値は、同一のシリアルナンバーに対応する第１の電子内視鏡１０に記憶される輝度変数（ａｅｃ）の値と異なる。すなわち、図４、５に示すように、シリアルナンバーがｐ２０９７５と同一であっても（つまりプロセッサが同一であっても）、第１の電子内視鏡１０に記憶される輝度変数（ａｅｃ）の値（例えば平均輝度値モードにおいては１２８）と、第２の電子内視鏡９０に記憶される輝度変数（ａｅｃ）の値（例えば平均輝度値モードにおいては１２０）とは異なる。つまり、本実施形態においては、同一のプロセッサに接続される電子内視鏡が変更されれば、輝度変数（ａｅｃ）は変更させられる。したがって、同一のプロセッサに異なる電子内視鏡が接続されると、その接続された電子内視鏡に応じて輝度変数（ａｅｃ）の値が設定される。
【００４１】
輝度変数は、光源装置および電子内視鏡の特性に応じて、６５〜２５５に設定される。また、ＥＥＰＲＯＭ２４には輝度変数を除するための定数であってビットの中心値である１２８が記憶されている。ここで、輝度変数はこの定数１２８によって除せられ輝度係数Ｐとなる。すなわち、Ｐ＝ａｅｃ／１２８である。したがって、第１および第２の電子内視鏡は、実質的に固有の輝度係数Ｐ（固有の補正値）を有すこととなり、実質的に輝度係数ＰはＥＥＰＲＯＭ２４に記憶されている。
【００４２】
例えば画像信号の輝度値が基準輝度値（例えば１２８）と一致しているにも拘わらず、ＴＶモニタに映し出される画像の見かけ上の明るさが明るすぎる場合、その電子内視鏡とプロセッサの組み合わせにおいては、輝度変数は１２８より大きく設定されている。一方、画像信号の輝度値が基準輝度値と一致しているにも拘わらず、ＴＶモニタに映し出される画像の見かけ上の明るさが暗すぎる場合、その電子内視鏡とプロセッサの組み合わせにおいては、輝度変数は１２８より小さく設定されている。
【００４３】
したがって、例えば輝度値を基準輝度値（１２８）に設定しているにも拘わらず、ＴＶモニタに映し出される映像の見かけ上の明るさが明るすぎる場合、輝度係数Ｐは１以上となり、これにより補正輝度値の大きさは本来の画像信号の輝度値に比べて大きくなるので、画像信号の出力値は抑制され、ＴＶモニタに映し出される画像の明るさも抑制される。一方、見かけ上の明るさが暗すぎる場合、輝度係数Ｐは１以下に設定される。
【００４４】
図６は、第１の電子内視鏡１０が有するＣＰＵ２３（図２参照）において実行されるプログラムを示す。本プログラムにおいては、初期設定処理（ステップＳ２００）、電子内視鏡スイッチ処理（ステップＳ３００）、第１の通信処理（ステップＳ４００）、第２の通信処理（ステップＳ５００）、その他処理（ステップＳ６００）、自動調光処理（ステップＳ７００）が実行される。自動調光処理が終了すると、本プログラムにおいては、ステップＳ３００に戻る。
【００４５】
初期設定処理では、ＣＰＵ２３、映像信号処理ＩＣ２２の各レジスタの設定、その他各種変数が設定される。内規鏡スイッチ処理では、電子内視鏡１０に設けられた各スイッチに関連する処理が行われる。すなわち、ステップＳ３００では、各スイッチが押された場合、それらのスイッチに関する情報がＣＰＵ２３を介してプロセッサ１４（図１参照）に送られる。
【００４６】
第１の通信処理では、ステップＳ３００で行われた処理以外の処理に関するデータがプロセッサ１４とＣＰＵ２３間で送受信される。第２の通信処理では、各種制御データが映像信号処理ＩＣ２２とＣＰＵ２３間で送受信される。ここでは、主にＣＰＵ２３が映像信号処理ＩＣ２２を制御するための制御データが映像信号処理ＩＣ２２に送られる。ステップＳ６００では、その他様々な処理が行われ、ステップＳ７００では画像信号の輝度値を一定にするための自動調光が行われる。
【００４７】
図７を用いて初期設定処理についてさらに詳述する。初期設定処理が開始されると、ステップＳ２０２でまずＣＰＵ２３のレジスタの設定が行われる。次に、ステップＳ２０４では、映像信号処理ＩＣ２２等のその他周辺回路のレジスタが設定される。ステップＳ２０６では、各変数が初期値に設定される。ステップＳ２０８では、ＣＰＵ２３はプロセッサ１４に対して、シリアルナンバーを送信するように要求する。ステップＳ２０９では、基準輝度値と、輝度算出モードがいずれのモードに設定されているかをプロセッサ１４に対して送信するように要求する。すなわち、輝度値（ａｅｙn）が上述した平均輝度値、ピーク輝度値、または中央重点輝度値のいずれの輝度値であるか送信するように要求する。ステップＳ２１０では、その要求に応じてプロセッサ１４からシリアルナンバー、基準輝度値、および輝度算出モードがＣＰＵ２３に送られ、ＣＰＵ２３がそのデータを受信する。ここで基準輝度値とは、プロセッサ１４が設定している明るさレベル（ブライトネスレベル）に対する参照値のことである。
【００４８】
ステップＳ２１２では、プロセッサ１４から送信されたシリアルナンバーと同一のシリアルナンバーがＥＥＰＲＯＭ２４に記憶されているか否かが判定される。ステップＳ２１２で同一のシリアルナンバーが記憶されていると判定されると、ステップＳ２１４に進み、ステップＳ２１４では、そのシリアルナンバーと、設定されている輝度算出モードに応じて図４に示すテーブルに従って輝度変数の値が読み出される。したがって、例えばシリアルナンバーがｑ２００８７であって輝度算出モードが平均輝度値モードである場合、輝度変数が１５４に設定される（図４参照）。輝度変数が設定されると、初期設定処理が終了する。
【００４９】
一方、シリアルナンバーと同一のシリアルナンバーがＥＥＰＲＯＭ２４に記憶されていない場合、ステップＳ２２０では、電子内視鏡１０に接続されたプロセッサのシリアルナンバーがＥＥＰＲＯＭ２４に記憶されるとともに、そのシリアルナンバーに対応する輝度変数用の値は８ビット数値の中心値である１２８に一旦設定される。ステップＳ２２２では、ＣＰＵ２３は、プロセッサ１４に対して輝度変数用の値を設定するように要求する。要求し終えると、初期設定処理は終了する。プロセッサ１４では、輝度変数用の値を設定するように要求されると、図８に示す輝度変数設定処理が開始される。
【００５０】
輝度変数設定処理では、まず図８に示すように、プロセッサ１４は、輝度変数（ａｅｃ）の設定要求が電子内視鏡１０から送信されたことをステップＳ２５２においてＴＶモニタ１５上に表示させるともに、輝度変数用の値をステップＳ２５４でＴＶモニタ上に表示させ、使用者に輝度変数用の値の設定要求があったことおよび輝度変数用の値を知らしめる。輝度変数用の値は、最初１２８に設定されているので、ＴＶモニタ上には、例えばａｅｃ＝１２８と表示される。なお、輝度変数設定処理においては、平均輝度値モード、ピーク輝度値モード、および中央重点輝度値モードにおける輝度変数用の値が順に設定される。したがって、ステップＳ２５４では現在設定されている輝度変数用の値が平均輝度値モードにおける値であることも表示される。
【００５１】
使用者は、ＴＶモニタ１５上の表示を見ながら、輝度変数用の値を設定する。したがって、ステップＳ２５６ではキーボード１６の上キーが押されたか否かが判定され、上キーが押されたと判定されると、ステップＳ２６０で輝度変数（ａｅｃ）用の値に１が加算され、その値が電子内視鏡１０へ送信される。その加算された輝度変数用の値はステップＳ２５４でＴＶモニタ１５上に表示される。
【００５２】
ステップＳ２５６で上キーが押されていないと判定されると、ステップＳ２５８に進み、ステップＳ２５８では、下キーが押されたか否かが判定され、下キーが押されたと判定されると、ステップＳ２６２においてａｅｃの値に１が減ぜられ、その値が電子内視鏡１０へ送信される。ステップＳ２５４でその減ぜられたａｅｃの値はＴＶモニタ上に表示される。
【００５３】
ステップＳ２５８で下キーが押されていないと判定されると、ステップＳ２６４に進み、ステップＳ２６４では、キーボード１６のｅｎｔｅｒキーが押されたか否かが判定される。ｅｎｔｅｒキーが押されていないと判定されると、ステップＳ２５４に戻る。一方、ｅｎｔｅｒキーが押されたと判定されると、ステップＳ２６６において、上下キーで変更された値（ＴＶモニタ上に表示された値）が平均輝度値モードにおける輝度変数（ａｅｃ）の値として確定される。その確定された値は、ＥＥＰＲＯＭ２４へ記憶される値なので、プロセッサからＣＰＵ２３にＥＥＰＲＯＭ２４へ記憶することを指示するコマンドが送信される。ステップＳ２７０では、ピーク輝度値モードにおける輝度変数用の値がステップＳ２５４〜Ｓ２６６と同様に設定される。ステップＳ２８０でも、同様に、中央重点輝度値モードにおける輝度変数用の値が設定される。なお、輝度変数設定処理は、新しい種類の光源装置（プロセッサ）または電子内視鏡が使用者に納品されたときに設定されるので、通常サービスマンによって設定される。サービスマンは、通常各光源装置（プロサッサ）の特性を充分に理解しているので、容易に輝度変数の値を設定することができる。
【００５４】
以上のように、輝度変数の値は、プロセッサ毎（シリアルナンバー毎）に、電子内視鏡１０内に記憶され、これにより、輝度変数の値は、光源装置が変更されると、変更させられる。
【００５５】
図９は、第１の通信処理（ステップＳ４００）の詳細を示す。第１の通信処理においては、まずステップＳ４０２でプロセッサ１４からＣＰＵ２３に対してデータが送信されたか否かが判定される。ここで、プロセッサ１４からデータが送られてこない場合には、第１の通信処理は終了する。プロセッサ１４からデータが送信されると、ステップＳ４０４では、その送られたデータがＡＥデータか否かが判定される。ここで、ＡＥデータとは自動調光するときに使用されるデータを言い、具体的には先述した基準輝度値（ａｅｒ）と輝度変数（ａｅｃ）を含む。
【００５６】
すなわち、後述するステップＳ４０８とＳ４１０では、上述したようにパネルスイッチ１８の明るさ設定スイッチが操作された場合、プロセッサ１４から基準輝度値に関する情報が送信されるので、ＣＰＵ２３でその情報についての処理が行われる。一方、ステップＳ４１２以下では、上述したステップＳ２６０、Ｓ２６２、Ｓ２６６で輝度変数用の値が設定されると、プロセッサ１４から輝度変数用の値に関する情報が送信されるので、ＣＰＵ２３でその情報についての処理が行われる。
【００５７】
プロセッサ１４から送られてくるデータは、２バイトで構成され、さらに各バイトは８ビットで構成される。送られてくるデータの１バイト目は、そのデータの種類を判別するためのデータである。そして、２バイト目には、そのデータに関する数値が書き込まれている。ここで、基準輝度値のデータは１バイト目がａ３ｈ、輝度変数のデータは１バイト目がａｆｈと決められている。したがって、１バイト目がａｆｈまたはａ３ｈのデータである場合には、送られてきたデータはＡＥデータと判断され、ステップＳ４０８に進む。ＡＥデータではないと判断された場合、ステップＳ４０６において、送られてきたデータは自動調光に関するデータ以外のデータであるので、そのデータに対応した処理が行われ、第１の通信処理は終了する。
【００５８】
ステップＳ４０８では、第１バイトがａ３ｈか否か否かが判定され、ａ３ｈである場合、ステップＳ４１０では、基準輝度値（ａｅｒ）が受信したデータの２バイト目の値に設定され、第１の画像処理は終了する。
【００５９】
ステップＳ４０８で第１バイトがａ３ｈでない場合、ステップＳ４１２に進み、ステップＳ４１２では第１バイトがａｆｈか否かが判定され、ａｆｈでない場合には、第１の通信処理は終了する。また、第１のバイトがａｆｈである場合、ステップＳ４１４に進む。ステップＳ４１４では、輝度変数設定モードで設定された輝度変数用の値が平均輝度値モードの輝度変数用の値であると判定した場合、ステップＳ４１６に進む。ステップＳ４１６では、プロセッサ１４のシリアルナンバーに対応し、かつ平均輝度値モードに対応する項に、そのデータの２バイト目の値が輝度変数の値のデータとして記憶され、第１の通信処理は終了する。ステップＳ４１８で輝度算出モードがピーク輝度値モードである判定された場合、ステップＳ４２０ではステップＳ４１６と同様にピーク輝度値モードに対応する項に、輝度変数の値のデータとして記憶される。ステップＳ４２２およびステップＳ４２４においても同様である。
【００６０】
図１０は自動調光処理（ステップＳ７００）の処理を詳細に示す。自動調光処理が開始されると、ステップＳ７０２では１フィールド終了したか否かが判定され、ステップＳ７０２で１フィールド終了していないと判定されると、具体的な自動調光処理は行われずに、本処理は終了する。すなわち、自動調光（シャッタの調整）は、本実施形態では、１フィールド毎に行われる。１フィールド経過したと判定されると、ステップＳ７０４〜ステップＳ７１０において自動調光が行われる。
【００６１】
自動調光処理において、ステップＳ７０４ではまず第ｎの画像信号の輝度値（ａｅｙn）が映像信号処理ＩＣ２２からＣＰＵ２３に入力される。ステップＳ７０６では、画像信号の補正輝度値（ｐａｅｙn）が算出される。ここで、補正輝度値は、画像信号の輝度値に輝度係数Ｐが乗ぜられて算出される。ステップＳ７０８では、その補正輝度値（ｐａｅｙn）と第ｎの画像信号のシャッタースピード（ｓn）に基づいて、式（１）により第（ｎ＋１）の画像信号のシャッタースピード（ｓn+1）が算出される。
【００６２】
ステップＳ７１０ではシャッタースピード（ｓn+1）が映像信号処理ＩＣ２２に送られ、映像信号処理ＩＣ２２の該当レジスタに記憶される。映像信号処理ＩＣ２２は、その記憶されたシャッタースピード（ｓn+1）に基づいてパルスＡ、パルスＢをＣＣＤ駆動回路２５に送り、ＣＣＤ駆動回路２５ではそのシャッタースピード（ｓn+1）に基づき、第（ｎ＋１）の画像信号が生成されるときの固体撮像素子２０のシャッタが制御される。
【００６３】
なお、本実施形態においては、第２の電子内視鏡９０が有するＣＰＵ２３（図２参照）においても上述したプログラムと同様のプログラムが実行される。したがって、プロセッサ１４に第２の電子内視鏡９０が接続されている場合においても、輝度変数用の値は同様にシリアルナンバー毎に変更させられるので、第２の電子内視鏡９０においても、接続される光源装置が変更させられると、輝度変数用の値は変更させられる。また、第１および第２の電子内視鏡１０、９０それぞれにおいては、シリアルナンバーが同一の値であっても、輝度変数用の値は異なる値が設定可能であるので、本内視鏡システムにおいては、接続される電子内視鏡が変更されると、輝度変数を変更することができる。
【００６４】
なお、本実施形態においては、上述したように輝度値ａｅｙnに輝度係数Ｐが乗ぜられ補正輝度値ｐａｅｙnが算出され、シャッタースピードｓn+1が算出されたが、基準輝度値に輝度係数Ｐが除せられて補正基準輝度値（ｐａｅｒ）が求められ、以下に示す式（２）によりシャッタースピードｓn+1が算出されても良い。この場合においても、輝度係数Ｐ＝ａｅｃ（輝度変数）/１２８である。
ｓn+1＝ｓn×（ｐａｅｒ／ａｅｙn）・・・・（２）
ただし、ｐａｅｒ＝ａｅｒ／Ｐ
【００６５】
さらに、本実施形態においては輝度値ａｅｙnに輝度係数Ｐが乗ぜられ、補正輝度値ｐａｅｙnが算出されたが、輝度値ａｅｙnに輝度定数Ｐ（固有の補正値）が加減され、補正輝度値ｐａｅｙnが算出されても良い。この場合、輝度変数（ａｅｃ）＝輝度定数Ｐとなり、以下に示す式（３）によりシャッタースピードｓn+1が算出される。なお、この場合、輝度変数（ａｅｃ）＝Ｐの範囲は、本実施形態では、−６５〜＋８５に設定する。
ｓn+1＝ｓn×（ａｅｒ／ｐａｅｙn）・・・・（３）
ただし、ｐａｅｙn＝ａｅｙn＋ａｅｃ
【００６６】
なお、輝度値ａｅｙnに輝度定数Ｐ（ａｅｃ）が加算され補正輝度値ｐａｅｙnが算出されるとき、ＴＶモニタに映る見かけ上の明るさが明るい場合は、画像信号の出力値を抑制するために、その輝度係数Ｐは０以上に設定される。一方、見かけ上の明るさが暗い場合は、画像信号の出力値を増大させるために、その輝度定数Ｐは０以下に設定される。
【００６７】
さらに、上述したように補正基準輝度値（ｐａｅｒ）が求められる場合においても、以下に示す式（４）のように、基準輝度値に輝度定数Ｐが加減されて、補正基準輝度値（ｐａｅｒ）が求められ、この補正基準輝度値ｐａｅｒからシャッタースピードｓn+1が算出されても良い。この場合、輝度変数（ａｅｃ）＝輝度定数Ｐとなり、輝度変数（ａｅｃ）＝Ｐの範囲は、本実施形態では−６５〜＋８５に設定する。
ｓn+1＝ｓn×（ｐａｅｒ／ａｅｙn）・・・・（４）
ただし、ｐａｅｒ＝ａｅｒ＋ａｃｅ
【００６８】
式（４）の場合、ＴＶモニタに映る見かけ上の明るさが明るい場合は、画像信号の出力値を抑制するために、その輝度定数Ｐは０以下に設定される。一方、見かけ上の明るさが暗い場合は、画像信号の出力値を増大させるために、その輝度定数Ｐは０以上に設定される。
【００６９】
さらに、式（１）の代わりに式（５）に示すように、輝度値ａｅｙnに輝度係数Ｐが除せられ、補正輝度値ｐａｅｙnが算出されても良い。
ｓn+1＝ｓn×（ａｅｒ／ｐａｅｙn）・・・・（５）
ただし、ｐａｅｙn＝ａｅｙn／Ｐ
【００７０】
さらに、式（２）の代わりに式（６）に示すように、基準輝度値に輝度係数Ｐが乗ぜられ、補正基準輝度値ｐａｅｒが算出されても良い。
ｓn+1＝ｓn×（ｐａｅｒ／ａｅｙn）・・・・（６）
ただし、ｐａｅｒ＝Ｐ×ａｅｒ
【００７１】
以上のように、本実施形態においては、輝度値ａｅｙnに、補正値（輝度定数または輝度係数）を、加減乗徐いずれか１つの演算により作用させ、補正輝度値ｐａｅｙnを算出したが、補正輝度値ｐａｅｙnは、輝度値ａｅｙnに、単数もしくは複数の補正値を、加減乗徐の演算により作用させ算出しても良い。すなわち、例えば、補正輝度値は式（７）により算出されても良い。
ｐａｅｙn＝ａ×（ａｅｙn＋ｂ）−ｃ・・・・（７）
ただし、ａ、ｂ、およびｃは補正値。
【００７２】
さらに、上述した補正基準輝度値ｐａｅｒnも同様に式（８）により算出されても良い。
ｐａｅｒn＝ａ×（ａｅｒn＋ｂ）−ｃ・・・・（６）
ただし、ａ、ｂ、およびｃは補正値。
【００７３】
すなわち、特許請求の範囲における「画像信号の輝度値に、補正値を加減乗除の演算により作用させ」とは、加減乗除すべての演算を用いるのではなく、少なくとも１つの加減乗除の演算により補正値を輝度値に作用させることを意味する。なお、補正値も複数であっても良い。
【図面の簡単な説明】
【００７４】
【図１】本発明の実施形態に係る電子内視鏡装置を模式的に示す。
【図２】本発明の実施形態に係る電子内視鏡における電気的構成を示す。
【図３】電子内視鏡の固体撮像素子の制御に関するタイミングチャートを示す。
【図４】第１の電子内視鏡のメモリに記憶されたテーブルを示す。
【図５】第２の電子内視鏡のメモリに記憶されたテーブルを示す。
【図６】電子内視鏡に設けられたＣＰＵが実行するプログラム全体を示す。
【図７】ＣＰＵが実行するプログラムのうち初期設定処理を詳細に示す。
【図８】プロセッサで実行される輝度変数設定処理のプログラムを示す。
【図９】ＣＰＵが実行するプログラムのうち第１の通信処理を詳細に示す。
【図１０】ＣＰＵが実行するプログラムのうち自動調光処理を詳細に示す。
【符号の説明】
【００７５】
１０  第１の電子内視鏡
１４  プロセッサ（電子内視鏡用の光源装置）
１５  ＴＶモニタ
２０  固体撮像素子（ＣＣＤ）
２４  ＥＥＰＲＯＭ（メモリ）
９０  第２の電子内視鏡
【図１】
2005312713.tif 000003
【図２】
2005312713.tif 000004
【図３】
2005312713.tif 000005
【図４】
2005312713.tif 000006
【図５】
2005312713.tif 000007
【図６】
2005312713.tif 000008
【図７】
2005312713.tif 000009
【図８】
2005312713.tif 000010
【図９】
2005312713.tif 000011
【図１０】
2005312713.tif 000012
【手続補正書】
【提出日】平成17年1月24日(2005.1.24)
【手続補正１】
【補正対象書類名】明細書
【補正対象項目名】０００１
【補正方法】変更
【補正の内容】
【０００１】
本発明は、複数の電子内視鏡と、その複数の電子内視鏡に接続可能な光源装置とを有する電子内視鏡システムに関する。ここでの光源装置は、光を発する本来の光源装置の機能に加え、電子内視鏡からの画像信号を処理するプロセッサの機能を合わせ持つ。
【手続補正２】
【補正対象書類名】明細書
【補正対象項目名】０００２
【補正方法】変更
【補正の内容】
【０００２】
電子内視鏡（電子スコープ）は、その先端部に固体撮像素子を有し、固体撮像素子で捉えられた被写体像は、画像信号に変換され、この画像信号は、電子内視鏡内で所定の信号処理が施された後、プロセッサ（電子内視鏡用の光源装置）に入力される。プロセッサで、画像信号はさらに所定の画像処理等が施され、ＴＶモニタに送られて映像として映し出される。
【手続補正３】
【補正対象書類名】明細書
【補正対象項目名】００４１
【補正方法】変更
【補正の内容】
【００４１】
輝度変数は、光源装置および電子内視鏡の特性に応じて、６５〜２５５に設定される。また、ＥＥＰＲＯＭ２４には輝度変数を除するための定数であって８ビット数値の中心値である１２８が記憶されている。ここで、輝度変数はこの定数１２８によって除せられ輝度係数Ｐとなる。すなわち、Ｐ＝ａｅｃ／１２８である。したがって、第１および第２の電子内視鏡は、実質的に固有の輝度係数Ｐ（固有の補正値）を有すこととなり、実質的に輝度係数ＰはＥＥＰＲＯＭ２４に記憶されている。
【手続補正４】
【補正対象書類名】明細書
【補正対象項目名】００５３
【補正方法】変更
【補正の内容】
【００５３】
ステップＳ２５８で下キーが押されていないと判定されると、ステップＳ２６４に進み、ステップＳ２６４では、キーボード１６のｅｎｔｅｒキーが押されたか否かが判定される。ｅｎｔｅｒキーが押されていないと判定されると、ステップＳ２５４に戻る。一方、ｅｎｔｅｒキーが押されたと判定されると、ステップＳ２６６において、上下キーで変更された値（ＴＶモニタ上に表示された値）が平均輝度値モードにおける輝度変数（ａｅｃ）の値として確定される。その確定された値は、ＥＥＰＲＯＭ２４へ記憶される値なので、プロセッサからＣＰＵ２３にＥＥＰＲＯＭ２４へ記憶することを指示するコマンドが送信される。ステップＳ２７０では、ピーク輝度値モードにおける輝度変数用の値がステップＳ２５４〜Ｓ２６６と同様に設定される。ステップＳ２８０でも、同様に、中央重点輝
度値モードにおける輝度変数用の値が設定される。なお、輝度変数設定処理は、新しい種類の光源装置（プロセッサ）または電子内視鏡が使用者（医師）に納品されたときに設定されるので、通常サービスマンによって設定される。サービスマンは、通常各光源装置（プロサッサ）の特性を充分に理解しているので、容易に輝度変数の値を設定することができる。
【手続補正５】
【補正対象書類名】明細書
【補正対象項目名】００５８
【補正方法】変更
【補正の内容】
【００５８】
ステップＳ４０８では、第１バイトがａ３ｈか否か否かが判定され、ａ３ｈである場合、ステップＳ４１０では、基準輝度値（ａｅｒ）が受信したデータの２バイト目の値に設定され、第１の通信処理は終了する。
【手続補正６】
【補正対象書類名】明細書
【補正対象項目名】００５９
【補正方法】変更
【補正の内容】
【００５９】
ステップＳ４０８で第１バイトがａ３ｈでない場合、ステップＳ４１２に進み、ステップＳ４１２では第１バイトがａｆｈか否かが判定され、ａｆｈでない場合には、第１の通信処理は終了する。また、第１のバイトがａｆｈである場合、ステップＳ４１４に進む。ステップＳ４１４では、輝度変数設定モードで設定された輝度変数用の値が平均輝度値モードの輝度変数用の値であると判定した場合、ステップＳ４１６に進む。ステップＳ４１６では、プロセッサ１４のシリアルナンバーに対応し、かつ平均輝度値モードに対応する項に、そのデータの２バイト目の値が輝度変数の値のデータとして記憶され、第１の通信処理は終了する。ステップＳ４１８で輝度算出モードがピーク輝度値モードであると判定された場合、ステップＳ４２０ではステップＳ４１６と同様にピーク輝度値モードに対応す
る項に、輝度変数の値のデータとして記憶される。ステップＳ４２２およびステップＳ４２４においても同様である。
【手続補正７】
【補正対象書類名】明細書
【補正対象項目名】００６３
【補正方法】変更
【補正の内容】
【００６３】
なお、本実施形態においては、第２の電子内視鏡９０が有するＣＰＵ２３（図２参照）においても上述したプログラムと同様のプログラムが実行される。したがって、プロセッサ１４に第２の電子内視鏡９０が接続されている場合においても、輝度変数用の値は同様にシリアルナンバー毎に変更させられるので、第２の電子内視鏡９０においても、接続される光源装置が変更させられると、輝度変数用の値は変更させられる。また、第１および第２の電子内視鏡１０、９０それぞれにおいては、プロセッサ１４のシリアルナンバーが同一の値であっても、輝度変数用の値は異なる値が設定可能であるので、本内視鏡システムにおいては、接続される電子内視鏡が変更されると、輝度変数を変更することができる。